(57)【要約】      （修正有）【課題】遠視度、乱視度、乱視角、レンズ中心距離の４つを簡便に調整でき、個人個人の目に合わせこむことが出来る、老眼鏡に適したレンズシステムを迅速に提供する。【解決手段】流体レンズモジュール２と、圧接手段とを有し、流体レンズモジュール２は、互いに連なる密閉空間が透明液により充填されている流体レンズ部２１と、液溜め部２２と、流路部２３とを有し、流体レンズ部２１は、両面に可撓性を有する透明膜を有し、圧接手段は、レンズ外形圧接手段と液溜め部圧接手段を有し、レンズ外形圧接手段は、流体レンズ部２１を圧接して外形を操作すると共に、液溜め部圧接手段は、液溜め部２２を圧接することにより流体レンズ部２１の膨らみを操作することによりレンズ特性を変化させる、ことを特徴とする流体レンズシステムである。【選択図】図１
2020091304.tif 000002
【特許請求の範囲】
【請求項１】
流体レンズモジュール（２）と、圧接手段（３）とを有し、
前記流体レンズモジュール（２）は、互いに連なる密閉空間が透明液（４）により充填されている流体レンズ部（２１）と、液溜め部（２２）と、流路部（２３）とを有し、
前記流体レンズ部（２１）は、両面に可撓性を有する透明膜（５１）、（５２）を有し、
前記圧接手段（３）は、レンズ外形圧接手段（３１）と液溜め部圧接手段（３２）を有し、
前記レンズ外形圧接手段（３１）は、前記流体レンズ部（２１）を圧接して外形を操作すると共に、
前記液溜め部圧接手段（３２）は、前記液溜め部（２２）を圧接することにより前記流体レンズ部（２１）の膨らみを操作することによりレンズ特性を変化させる、
ことを特徴とする流体レンズシステム。
【請求項２】
前記流体レンズモジュール（２）は、可撓性を有する透明膜材（５５）、（５６）を対向させ所定の形状で貼り合わされたことを特徴とする請求項１の流体レンズシステム。
【請求項３】
前記可撓性を有する透明膜（５１）、（５２）は、液圧を受けた際に一方の膜だけが膨らむ程度に他方の膜より剛性が大きいと共に、透明膜（５１）ないし（５２）は、所定の形状に予め型整形されていること、
を特徴とする請求項１、２の流体レンズシステム。
【請求項４】
前記液溜め部（２２）は液量スイッチ部（２５）を有し、前記液溜め部圧接手段（３２）は操作部（７）を有し、前記操作部（７）はレンズ度数操作スイッチ部（７１）を有し、前記レンズ度数操作スイッチ部（７１）は前記液量スイッチ部（２５）を圧接状態と非圧接状態とを操作可能とすることで、前記流体レンズ部（２１）のレンズ度数を複数の状態に切り替える、
ことを特徴とする請求項１〜３の流体レンズシステム。
【請求項５】
前記操作部（７）は膜弛緩圧力操作部（７２）を有し、
前記膜弛緩圧力操作部（７２）は前記液量調整圧接部（２４）の圧接面積を操作可能とすることで、前記流体レンズ部（２１）のレンズ度数を調整する、
ことを特徴とする請求項１〜４の流体レンズシステム。
【発明の詳細な説明】
【技術分野】
【０００１】
本発明は、老眼鏡に適したレンズに関するものであって、より詳しくは、個人ごとの遠視度、乱視度、乱視角の要求に応じて設定できる老眼鏡に適した流体レンズシステムの技術に関する。
【背景技術】
【０００２】
老眼は、眼球の遠視と、距離に応じたピント合わせ機能の衰えがある。これらを遠視度、乱視度、乱視角の３つの数字で表す。量販店には、遠視度の違う老眼鏡を多数取り揃えて安価に提供されているが、左右の目で遠視度の違う老眼鏡はなく、乱視への対応もされていない。量販店の老眼鏡で十分な人も多いが、乱視がある人の老眼には対応できていない。
【０００３】
メガネ専門店では、一人一人の遠視度、乱視度、乱視角、レンズ中心間距離の４つを合わせた老眼鏡を作成して提供している。また、ピント合わせ機能の衰えの為、車の運転時等の遠距離と、読書時など近い距離では遠視度、乱視度、乱視角の３つの数字が変わる。１枚のレンズ面に複数のレンズを作り込む遠近両用老眼鏡も作製されている。このような遠近両用老眼鏡は、例えば、レンズ面の上部は遠距離用、下部は近距離用にその中間は中距離用となっている。これにより、一人一人の遠視度、乱視度、乱視角、レンズ中心間距離の４つに対応した老眼鏡を入手できるが、目の状態を測定してから、それに応じた老眼鏡を入手するまでには時間を要し、価格もそれなりに高額となる。
【０００４】
老眼への対応技術としては、眼科医術分野での進展が有り、例えばレーシックのように眼球への手術があるが、老眼が進行すると対応が必要などの問題が有り、また肉体的に処置する方法に抵抗感を持つ人もいる。
【０００５】
電子技術により距離を自動計測して自動でメガネの焦点を制御する試みがある。一つの例として、非特許技術１に上げた、Ｕｔａｈ大学で電子技術によるハイテク老眼鏡がある。これは対象物までの距離を自動で検知し、焦点を合わせるものだが、研究開発段階であり、小型軽量化、超少電力化など、大小さまざまな課題があり、実用化には年月を要する。
【０００６】
特許文献１に示したネマチック液晶を利用した製品に応用された技術がある。これは、距離の計測機能はなく、近くを見るときには、眼鏡に設けられたボタンを人間が押すことで機能が切り替わる。精密電子機器技術分野であり、制作に高度な技術が必要であり、納期が長期となる、高額であるなどの問題がある。
【０００７】
より簡便な方法の１つとして、特許文献２に示した２枚の対向する透明膜の間に透明液体を封入し、封入された液量を変えることにより、透明膜の可撓性により膜が膨らみレンズ効果が変わることを利用した眼鏡技術がある。このような技術による老眼鏡は、遠距離にも近距離にも手動で整合きる。反面、いちいちピント調整を強いられることになり、一人一人の目の状態に合わせて作られたメガネを使っている人には使い勝手が悪い。不特定多数の人が一時的に使う眼鏡に向いていると言える。また、乱視への対応が出来ていないのが現状であり、いきおい限られた利用にとどまっている。
【先行技術文献】
【特許文献】
【０００８】
【特許文献１】特開２０１２-１３３１０６号公報
【特許文献２】特表２０１６-５１０４３０号公報
【非特許文献】
【０００９】
【非特許文献１】https://unews.utah.edu/i-can-see-clearly-now/
【発明の概要】
【発明が解決しようとする課題】
【００１０】
遠視度、乱視度、乱視角、レンズ中心距離の４つを簡便に調整でき、個人個人の目に合わせこむことが出来る、老眼鏡に適したレンズシステムを迅速に提供する。
【課題を解決するための手段】
【００１１】
流体レンズモジュール２と、圧接手段３とを有し、前記流体レンズモジュール２は、互いに連なる密閉空間が透明液４により充填されている流体レンズ部２１と、液溜め部２２と、流路部２３とを有し、前記流体レンズ部２１は、両面に可撓性を有する透明膜５１, ５２を有し、前記圧接手段３は、レンズ外形圧接手段３１と液溜め部圧接手段３２を有し、前記レンズ外形圧接手段３１は、前記流体レンズ部２１を圧接して外形を操作すると共に、前記液溜め部圧接手段３２は、前記液溜め部２２を圧接することにより前記流体レンズ部２１の膨らみを操作することによりレンズ特性を変化させる、ことを特徴とする流体レンズシステムである。
【発明の効果】
【００１２】
流体レンズモジュール２は、レンズ外形圧接手段３１と液溜め部圧接手段３２により要所を圧接するだけで、レンズ位置調整、レンズの光学的形状、レンズ度数、遠視度数と乱視角度を要望に合わせることが出来るので、安価で迅速な老眼鏡の提供を可能とする。
【図面の簡単な説明】
【００１３】
【図１】本発明の老眼鏡に使用される流体レンズモジュール２の展開図
【図２】流体レンズ部２１を説明する側面断面図
【図３】レンズ外形の図（Ａ）調整前（Ｂ）クリップ仮め決図（Ｃ）〜（Ｆ）楕円クリップ位置、回転例（Ｇ）圧接図
【図４】液量調整の図（Ａ）圧接マーク６２の図（Ｂ）溶着マーク６８の図
【図５】液量スイッチの図（Ａ）〜（Ｃ）液調整と液量スイッチとの関係図
【図６】予備整形膜の例、（Ａ）〜（Ｆ）膜組み合わせ例、（Ｇ）（Ｈ）外形例
【図７】充填路２９を説明する図（Ａ）製造時（Ｂ）製造完了時
【図８】（Ａ）液プール部２６の説明図（Ｂ）最終的外形図
【図９】操作部７の説明図（Ａ）操作前（Ｂ）操作スイッチ部例（Ｃ）経時変化時
【図１０】３番目の膜：緩衝膜を説明する図（Ａ）２枚  （Ｂ）緩衝膜材５８
【図１１】（Ａ）溶着マーク６９前の図    （Ｂ）溶着マーク６９１の図
【図１２】レンズモジュールの並べ方を変えた２つの例（Ａ）と（Ｂ）
【発明を実施するための形態】
【実施例１】
【００１４】
図１は本発明の流体レンズモジュール２の展開図である。流体レンズモジュール２は２枚の可撓性を有した対向する膜透明膜５１、５２の貼付けで形成されている。図１中の斜線部６０は流体レンズモジュール２の外形を与えると共に貼り付け部位を示しており、貼り付けていない内部には、透明液４が密封されている。図１の左から、流体レンズ部２１、流路部２３、液溜め部２２であり、液溜め部２２は液量スイッチ部２５を有している。図２は本発明の流体レンズモジュール２の流体レンズ部２１の側方断面図である。前面と後面は可撓性を有する透明膜５１、５２でありその間には透明液４１がある状態の図である。
【００１５】
流体レンズ２１の光学的形状をレンズ外形圧接手段３１によって簡便に操作できることを説明する。図３は圧接手段３のレンズ外形圧接手段３１を説明する図である。図３（Ａ）は調整前の流体レンズ部２１を示した図である。図３（Ｂ）はレンズ外形をクリップにより圧接して仮決めした図である。レンズ外形圧接手段３１により流体レンズ部２１を楕円形に整形された状態と同等に出来る。このように円から楕円にすることで、円柱レンズの機能をレンズに加えることが出来る。レンズ外形圧接手段３１は、例えば図３（Ｃ）に示す楕円形の穴を持ったレンズクリップであっても良い。このレンズクリップを図３（Ｄ）のようにレンズ中心位置を左右にずらすことも出来るし、図３（Ｅ）に示すように楕円軸を横にすることも，図３（Ｆ）に示すように楕円軸を斜めにすることも簡便に出来る。レンズクリップは仮の押さえの圧接具として適しおり、レンズを実際に即座に試行することを可能としている。
【００１６】
レンズ外形が決められた後に、図３（Ｇ）に示すようにレンズクリップに代えて圧接溶着方法を採用しても良い。図３（Ｇ）に示されている黒丸の溶着マーク６８で楕円の外形を操作することで所望のレンズ外形を与えている。溶着による方法は、レンズ使用の際、不測の事態で流体レンズの外形が変化することを防げるという機能面だけでなく、部品数を削減できる、軽量化を図れる、などの点で有効である。加えて、試用するためだけの用具としてのクリップは量産する必要はなく、コスト、材料、重量など種々の作成条件が緩和され、性能を十分発揮できるものを作成できる。
【００１７】
レンズの外形の仮決め後にレンズ度数を決める。図４は、液溜め部２２にある液溜め液量調整圧接部２４の図である。図４（Ａ）には、液溜め部圧接手段３２として液溜めクリップによるクリップ圧接マーク６２が示されている。クリップ圧接マーク６２が存在した液溜め部２２の透明液４２は流路部２３を通じて移動して流体レンズ部２１を膨らまし、流体レンズ部２１のレンズ度数を変える。液溜めクリップの位置を調整しクリップマーク圧接マーク６２の面積を変えることで、レンズ度数を合わせていく。以上クリップするだけで、レンズの光学的形状を変えることが出来るので、複数の状態をすぐに実現できる。
【００１８】
液溜めクリップで圧接条件が定まったら、液溜めクリップの替わりに、図４（Ｂ）に示す黒丸の溶着マーク６８に変える。
【００１９】
以上説明したように、老眼鏡に適用した場合、目の状態の検診により得られた情報により、レンズ間中心距離、遠視度、乱視度、乱視角を個人個人に合わせ、試用を重ねることが可能なので、老眼用レンズとして適しているレンズシステムである。
【００２０】
老眼はピント調節機能が衰えており、このため、スイッチよってレンズ度数を切り換えられるメガネ用のレンズシステムを提案する。
図５（Ａ）に示すように、液溜め部２２は液量調整圧接部２４と液量スイッチ部２５を有している。液量スイッチ部２５の圧接状態がＯＮ／ＯＦＦの２つのレンズ状態を作り出せる。この２つ遷移するレンズ状態はどちらも独立して調整可能である。遠方用のレンズ状態と、読書などの近場用のレンズ状態の設定を例にする。図５において、（Ａ）、（Ｂ）、（Ｃ）いずれも液溜め圧接手段３４のクリップマーク圧接マーク６２の面積が同じとする。まず、クリップマーク圧接マーク６２によって移動した透明液４の量は同じである。すなわち遠方時のレンズ度数は図５（Ａ）、（Ｂ）、（Ｃ）とも同じである。ここで、操作部７のレンズ度数操作スイッチ部７１により液量スイッチ部２５が圧接されると、左側の状態から右側の状態に移り液量スイッチ部２５の透明液はなくなり圧接マーク６３になり、液量スイッチ部２５に存在した透明液は全部押し出され、流体レンズ部２１に移行する。ここで、圧接マーク６２と圧接マーク６３とが重なり合う面積が違う点に注目する。スイッチ部７１により増加するレンス度数は、図５（Ａ）に比べ（Ｂ）は更に上がり、（Ｃ）は上がり方が少ない。この例のように、使用に際してレンズ度数操作スイッチ部７１により、遷移する２つのレンズ度数を自由に設定でき、用途に応じた２つの度数を設定したレンズシステムを迅速に提供する技術である。
【００２１】
この例では２つの度数の例を示したが、これに限られない。この例以外に多段階でも、連続的な変化でも原理的には多くが可能であり、用途に応じて選択して良い。
【００２２】
流体レンズの適用可能範囲を広げる方法として、一対の可撓性を有する透明膜の少なくとも一方を型成形品とすることが有用である。流体レンズとしたとき、液充填量の変化で一方の膜のみが変形するように可撓性膜の剛性に十分な差をつける。剛性の高い透明膜５３を予め型整形しておくことで、図６の（Ａ）〜（Ｆ）に示すようなレンズ度数の初期値が違う流体レンズモジュールが可能となり、それだけ本発明の流体レンズシステムの適用可能範囲を広く出来る。
【００２３】
また、レンズの外形が丸以外の形を採用することにも利用できる。例えば、図６（Ｇ）、（Ｈ）のような円形以外の場合、剛性の高い透明透明膜５３を型整形により、予め円筒形の曲率を与えることで、調整前のレンズ特性を丸い外形に近づけたレンズ初期特性と出来る。
【００２４】
また、液溜め部の液の保持量を増やすことが求められる場合は、剛性の少ない方の膜を型整形でふくらませることで対応を図る方法も有用である。このように、型整形は剛性の高い方だけでなく、用途目的に応じて行って良い。
本発明の流体レンズシステム１は、圧接するだけで、レンズ形状、レンズ位置、遠視度数、乱視度数、乱視角のすべてを調整でき、迅速に個別対応が可能な老眼鏡を可能にするレンズシステム技術について説明した。
【００２５】
流体レンズモジュール２が量産に適していることを説明する。
図７（Ａ）は老眼鏡用に製造する流体レンズモジュール２であり、流体レンズモジュール２が左右線対称に配された液晶レンズモジュール９１を連続したシート状になっている。すなわち２枚の可撓性のある透明膜を重ね、流体レンズモジュール２の輪郭線に相当する圧接マーク６０を１対づつに一度に圧接して良い。ここで、連続する流体レンズモジュール２を貫くように充填路２９を設けるのは有用である。充填路２９により多数の流体レンズモジュール２に液を充填するにも、このままリーク試験などにも活用法がある。
【００２６】
透明液４を多数の流体レンズモジュール２に充填して、リーク試験、圧力試験など種々の製品試験の後、老眼鏡用に切り離して使用すれば良い。図７（Ｂ）の左側は、流体レンズモジュール２の調整前の対の状態を表す。図３〜図４で説明した要領でレンスモジュールの光学的外形を決めた後レンズ度数を調整する。これらが完了した後、流体レンズモジュール２を対として老眼鏡用に切り離す。この対の右側を図７（Ｂ）線対称線の右側に示している。
【００２７】
以上述べたように、調整後は圧接面積が決まるので、液圧は調整前に比べて上昇し、レンズの度数も上昇するが戻せない。一方向にしか変化しないので、調整前のレンズ度数は低い必要がある。レンズ度数を調整する前にレンズの外形を調整すると、形状によってレンズ度数が上がってしまい、低い度数が対応可能範囲から外れてしまう危険性が有り問題点となる。この点に対して有効な方法としては、液溜め調整部２を大きくすれば良い。液溜め部がレンズ部と同様な程度以上に大きくなると、レンズ外形が変えられることによる面積減少の総面積に対してそれだけ少なくなり、圧力変化も少なくなる。
【実施例２】
【００２８】
更に、液溜め調整部２４の一部を液プール部２６とする方法が有効である。図８に実施例２として示す。図８（Ａ）は調整前の老眼鏡用の一対の流体レンズモジュール機能を有した老眼鏡用レンズモジュール対９１を示している。この場合、図８（Ａ）（Ｂ）の比較からわかるように、外形が調整前と調整済みとで大きく異なり、調整前の形状は大きく、重量が重くなっているが、調整後の形状は、液溜め部２２が大きくなることによる全体重量の増加などは調整終了時には切り離してなくなり、軽量化のデザインが可能である。
【００２９】
レンズモジュール対９１の調整を説明する。調整前は、図８（Ａ）の状態であり、３つの溶着マーク６９で充填路２９を塞ぎ、液体レンズモジュール２が一対が線対称に配され流体レンズモジュール対９１が形成される。眼の検診結果データから、まず、流体レンズ形状と遠視度と乱視角度とを合わせる。流体レンズ形状はクリップで行い、レンズ度数は合わせるべき度数のわずか手前にするのが良い。レンズ度数の調整は液プール部２６をクリップなどで徐々に圧接部分を増減する方法で良い。眼の検診結果データで調整完了したら、このレンズ状態を維持したまま、プール流路部２７を塞ぐ。圧着マーク６７より液プール部２６の透明液４３が流体レンズ部２１から切り離される。その後、流体レンズモジュール２の外形を示唆する圧接マーク６０に基づき切り出した時の形を図８（Ｂ）の左側に示す。この後の調整作業は実施例1で述べた手順と同様であるが、完了したものを図８（Ｂ）の右側に示す。図８（Ｂ）の左側に示す微調整前の状態は、すでに最適な調整状態の近く設定されているので、図８（Ｂ）に示される液溜め部２２の残りされた部位の大きさをそれだけ小さくできる。
【実施例３】
【００３０】
操作部７を使用して、老眼鏡の使用時にメガネレンズの度数を操作する例を説明する。
図９（Ａ）は、図８（Ｂ）の右側の形状を利用している。レンズ度数操作スイッチ部７１はチューブ状で、液量スイッチ部２５の上に移動させると、液量スイッチ部２５の中の透明液を押し出すクリップ機能をもつ。なお、溶着マーク６８を容積減少量Ｌとして表す事にする。液溜め部２２の要素である小丸空間と中丸空間が各３つで構成されてれてる。小丸空間と中丸空間はそれぞれ１Ｌ、２Ｌの空間容量で作られている。よって液溜め部２２は合計９Ｌの空間容量であり、内液量スイッチ部２５は６Ｌの空間容量で作られている。調整終了時のレンズ度数操作スイッチ部７１は内液量スイッチ部２５を圧接する前を見ると、合計９Ｌの容積を持つ液溜め部２２が７Ｌに減少しており、流体レンズ部２１には２Ｌだけ透明液が移動してレンズ度数を上げた調整となっていることがわかる。最終微調整で２Ｌの容積の透明液増加が流体レンズ部２１になされたことを意味する。
【００３１】
図９（Ｂ）ではレンズ度数操作スイッチ部７１が液量スイッチ部２５を覆い圧接しているが、液量スイッチ部２５には溶着マーク１個分はスイッチ動作前から使用されているので、残りの５個分が押し出されてレンズを膨らませてレンズ度数を上げる。すなわち、２つの状態は、流体レンズ部２１は、液２Ｌと７Ｌの容積の透明液増加が切り替えて、それに応じたレンズ度数の変化が得られる。
【００３２】
しかし、容積の変化が小さく液量スイッチ部２５が大きく作られていると、調整可能範囲外になる場合がある。液量変化に液溜め量が多いときなどには、レンズ度数の変化が大きくなりすぎ、調整可能範囲外になる問題があるので対応が求められる。１つの方法としては、液量スイッチ部２５の大きさを小さめにした流体レンズモジュールを製品ファミリー内に加えておくのも有効な方法である。
【００３３】
耐用年数をすぎると、レンズ度数の変化起こることがある。製品としての寿命として、新しいもに取り替えるなどの対応が取られるが、透明膜４の応力弛緩によるレンズ度数の変化を調整して使い続けたい人のために、図９（Ｃ）に示す液圧液量の微調整を行いたいユーザー向けに膜弛緩圧力操作部７２を設けても良い。膜弛緩圧力操作部７２、機能的には液量調整圧接部２４の３つの小丸部分を徐々に圧接するクリップ機能をもつ。と同時に、図９（Ｂ）で述べた液量スイッチ部２５の容量が小さい動作機能が可能で、液量スイッチ部２５の容量に起因する設定可能範囲から外れる問題の対応策とも出来る。
【００３４】
２枚の層で構成される流体レンズモジュール対９１を製造することで実施例を説明してきたが、製造開始時の２枚の膜を図１０（Ａ）に示す。代わりに、図１０（Ｂ）に示すように２枚の層の間に緩衝膜５８の層を配しても良い。すなわち、他方の膜より剛性が大きい透明膜材５７と緩衝膜材５８との２枚をまず接着する。その後、（破線で示される）透明膜材５５が３枚目として接着される。緩衝膜材５８は、３枚が接着されたときに輪郭６０で形付けられるように接着部位以外が抜き取られて形どられている。緩衝膜５８の剛性は用途目的によって選定されて良い。緩衝膜５８の透明性はファッションなどで自由に決めて良い。
【００３５】
緩衝膜５８の剛性が硬いと、剛性の大きい透明膜５３が所望の光学特性を持つように型整形された形状を外力から守るという利点がある。すなわち、流体レンズ部のレンズ特性を調整していくときに透明液圧が変わるが、液圧の変化により透明膜５３の形状が変化するのを防ぐ働きがある。
【００３６】
本発明の流体レンズモジュール２をメガネレンズとして一対で使用する際に、左右のレンズ液の圧力が等しくて良いときには、図８（Ａ）に示した液プール部２６が一対であったものを、図１１（Ｂ）に示すような一体形の合同液プール部２６１としても良い。図示していないが、液溜め部２は一対を一緒にしても良いし、一対のままでも良い。  
【００３７】
本発明の流体レンズモジュール２をメガネレンズとして一対で使用する際に、一対の流体レンズ部の位置は人の眼球名前にある必要があるが、液溜め部２２の位置は自由で良い。例えば図１２（Ａ）（Ｂ）のように、液溜め部２２などを流体レンズ部２１の近くに配しても良い。
【００３８】
複数の実施例の説明で、２枚の透明膜５１（あるいは５３）、５２の溶着が多用されているが、この溶着方法に限られる必要はない。また、クリップを仮決めに多用しているが、簡単にはずれないなどの機能を強化して本決め用としてクリップ機能を使用しても当然本発明に含まれる。
【００３９】
以上、透明膜を張り合わせることであわせることで、流体レンズ部と液溜め部とそれをつなぐ流路部と、を一体成型する方法を主に説明してきたが、流体レンズ部と、液溜め部と、流路部とを個別に作成して、別部品として組み立ても本発明に含まれる。
【符号の説明】
【００４０】
１      流体レンズシステム
２      流体レンズモジュール
２１    流体レンズ部
２２    液溜め部
２３    流体レンズ部と液溜め部をつなぐ流路部
２４    液量調整圧接部
２５    液量スイッチ部
２５１  合同液量スイッチ部
２６    液溜め部に設けた液プール部
２６１  合同液プール部
２７    液プール部と液溜め部とをつなぐプール流路部
２８    
２９    透明液を充填するすべての隙間を１つにつなぐ充填路
３    圧接手段
３１    レンズ外形圧接手段
３２    液溜め部圧接手段
４      透明液
４１    流体レンズ部の透明液
４２    液溜め部の透明液
４３    液プール部の透明液
５    透明膜  
５１    対向する一方の透明膜
５２    対向する他方の透明膜
５３    他方より充分剛性の高いの透明膜
５４    緩衝膜
５５    一方の透明膜材
５６    他方の透明膜材
５７    他方より充分剛性の高いの透明膜材
５８    緩衝膜材
６    圧接マーク
６０    流体レンズモジュールの外形の圧接マーク
６１    流体レンズ部の外形の仮の圧接マーク
６２    クリップによる液量調整圧接部の仮の圧接マーク
６３    レンズ度数操作スイッチ部の操作による圧接マーク
６４    流体レンズ部の外形の圧接決定マーク
６５    液溜め部の液圧調整圧接決定マーク
６６    
６７    液プール部の透明液４３を流体レンズ部２１から切り離す溶着マーク
６８    調整ための溶着マーク
６９    流体レンズモジュールを作成するための製造過程の溶着マーク
６９１    左右流体レンズモジュール対ごとに充填路を密閉する溶着マーク
７      操作部
７１    レンズ度数操作スイッチ部
７２    膜弛緩圧力操作部
９０    老眼鏡
９１    左右流体レンズモジュール対
９２    メガネ台座
〇〇  （  メガネ台座部                        ）
〇〇  （  鼻あて部                            ）
〇〇  （  耳の後方まで伸びるモダン・テンプル  ）
【図１】
2020091304.tif 000003
【図２】
2020091304.tif 000004
【図３】
2020091304.tif 000005
【図４】
2020091304.tif 000006
【図５】
2020091304.tif 000007
【図６】
2020091304.tif 000008
【図７】
2020091304.tif 000009
【図８】
2020091304.tif 000010
【図９】
2020091304.tif 000011
【図１０】
2020091304.tif 000012
【図１１】
2020091304.tif 000013
【図１２】
2020091304.tif 000014